(57)【特許請求の範囲】
【請求項１】
錠シリンダー（２）は、固定子（３）と、前方側及び後方側の各端部（４ａ，４ｂ）を有する回転子（２４）と、この回転子の前方側端部に形成された、側面が互いに平行なキー溝（５）とを有し、そして安全錠用キー（２０）は、上面及び下面を有するとともに前方側及び後方側の各部（６ａ，６ｂ）を有するシャフト（６）を備え、前記上面又は下面の少なくとも一方に前記回転子本体内に配置されたタンブラーを整合位置決めするためのいくつかの制御表面（７）が設けられた、上記安全錠用キー及び錠シリンダーを有する錠装置において、
前記回転子（２４）は、さらにその前方側端部（４ａ）に前記キー溝（５）に連なって配された少なくとも１つの第１追加的制御表面（８）と、前記キー溝（５）に対して直角方向に延びたスリット（１７）の互いに平行な側面からなる第２追加的制御表面とを備え、
前記キー溝にシャフト（６）を挿入した際に、前記第１追加的制御表面（８）は、シャフト（６）の後方側端部（６ｂ）に設けられた追加的制御表面（９）に係合し、前記第２追加的制御表面はシャフト（６）の後方側端部でシャフトの上面又は下面から垂直に突出して設けられたカム（１２）に係合し、
前記第２追加的制御表面を形成するスリット（１７）は、前記カム（１２）の特有の形状や寸法に対応した長さを有し、又は前記カム（１２）の特有の形状や寸法に対応した位置に形成されていることを特徴とする錠装置。
【請求項２】
前記回転子（２４）の前方側端部が固定子の前端を超えて突出しており、前記カム（１２）に係合する回転子のスリット（１７）が、固定子の前端を超えて突出する上記回転子の前方側端部の中に形成されている、請求項１に記載の錠装置。
【請求項３】
前記スリット（１７）がキー溝（５）の中央を通過し、又は側方へずれた位置でキー溝（５）を通過している、請求項２に記載の錠装置。
【請求項４】
前記スリット（１７）が回転子（２４）の軸に関して半径方向へ延び、そして前方側端部において回転子の側方へも開放されている、請求項３に記載の錠装置。
【請求項５】
前記シャフト（６）の後方側端部に設けられた追加的制御表面（９）が少なくとも１つの肩部（１５）により形成されている、請求項４に記載の錠装置。
【請求項６】
前記安全錠用キーが、前記回転子（２４）の前方側端部からシャフト（６）を挿入して前記回転子を固定子に対して回転させるために操作される回しキーであり、そしてシャフト（６）が複数のタンブラーを整合位置決めするための複数の制御用穿孔（７）を有する、請求項５に記載の錠装置。
【請求項７】
前記スリット（１７）が回転子（２４）の側面へ向かう方向で閉じられている、請求項３に記載の錠装置。
【請求項８】
各タンブラーを整合位置決めするための複数個の制御表面（７）が設けられ、前方側及び後方側の各端部を有するシャフト（６）を有し、このシャフトの後方側端部に１つ以上の追加的制御表面（９）が設けられており、またこのシャフト（６）の上面又は下面の少なくとも一方から突出して前記回転子（２４）の対応するスリット（１７）の中に挿入可能なカム（１２）が固定されており、さらに前記追加的制御表面（９）はシャフトの後方側端部のところの少なくとも一つの肩部（１５）によって形成されている、請求項１に記載の錠装置のための安全錠用キー。
【請求項９】
上記肩部１５に少なくとも１つの切り抜き部（１３）が設けられた、請求項８に記載の安全錠用キー。
【発明の詳細な説明】
【技術分野】
【０００１】
本発明は錠シリンダーと安全錠用キーとからなる錠装置に関する。錠シリンダーは固定子と回転子とからなり、回転子に形成されたキー溝に安全錠用キーを差し込んで施錠及び解錠のキー操作が行われる。そしてその安全錠用キーはシャフトを有し、これが各タンブラーの正しい位置決めのために多数の制御表面を備えており、そして前方及び後方の各端部を有している。本発明は、そのような錠装置及び安全錠用キーに関する。
【背景技術】
【０００２】
上述の類の安全錠用キー及び錠シリンダーは多くの実施態様で公知になっている。高価な各種設備のための安全錠用キーの場合にはこれを比較的簡単なボール盤やフライス盤でたやすく複製できないことが重要である。複製に対して高度に安全な安全錠用キーは本出願人のヨーロッパ特許公報ＥＰ０６２１３８４Ｂ１に従って達成することができ、これによれば、その安全錠用キーのシャフトに、ピンとして形成されてそのシャフトの中に支承されている或る制限要素が設けられている。その安全錠用キーの中で或る追加的なタンブラーとこの制御要素が正しく位置合わせできる。このようなキーは通常的な費用では複製することができない。似たような制御要素を有するいわゆる歯付キーがヨーロッパ特許公報ＥＰ０８０２２８９より公知になっている。このキーの場合にも比較的高い対複製安全性が保証されている。
【０００３】
上述した安全錠用キーの場合の欠点は前述の制御要素の組み込み及び錠シリンダーの中の各追加的なタンブラーにより生ずる費用である。これらの制御要素はまた総合化技術に不都合な影響を与えることもある。
【先行技術文献】
【特許文献】
【０００４】
【特許文献１】ヨーロッパ特許公報ＥＰ０６２１３８４Ｂ１
【特許文献２】ヨーロッパ特許公報ＥＰ０８０２２８９
【発明の概要】
【発明が解決しようとする課題】
【０００５】
本発明の課題は、高い対複製安全性がもたらされるにもかかわらず比較的低費用で製造することのできる錠装置及び安全錠用キーを提供することである。
【課題を解決するための手段】
【０００６】
本発明の錠装置は、錠シリンダー（２）と安全錠用キー（２０）とを有し、錠シリンダーは固定子（３）と、前方側及び後方側の各端部（４ａ，４ｂ）を有する回転子（２４）とを備える。回転子の前方側端部に側面が互いに平行なキー溝（５）が形成され、そして安全錠用キー（２０）は、上面及び下面を有するとともに前方側及び後方側の各部（６ａ，６ｂ）を有するシャフト（６）を備え、前記上面又は下面の少なくとも一方に前記回転子本体内に配置されたタンブラーを整合位置決めするためのいくつかの制御表面（７）が設けられる。回転子の前方端部が延長され、前記キー溝に連なって配された少なくとも１つの第１追加的制御表面（８）と、キー溝（５）に対して直角方向に延びたスリット（１７）の互いに平行な側面からなる第２追加的制御表面とが設けられる。そして、安全錠用キーのシャフト（６）をキー溝に挿入した際に、第１追加的制御表面（８）はシャフト（６）の後方側端部に設けられた追加的制御表面（９）に係合し、第２追加的制御表面はシャフト（６）の後方側端部でシャフトの面から垂直に突出して設けられたカム（１２）に係合し、これらの協同によって錠装置の施錠・解錠が行われる。特に本発明の錠装置にあっては、回転子の前方端部の第２追加的制御表面はスリットの形成により低費用で作ることができる。安全錠用キーの制御表面は、切り抜き、中でもキーシャフトの肩部の切断により特に低費用で作り出すことができる。この安全錠用キーはキーシャフトの中にいくつかの穿孔を有する回しキー、或いは例えば歯付キーやカムキーのような他の安全錠用キーであってもよい。
【０００７】
本発明に従う安全錠用キーの本質的な利点は、このものが逆方向共用性であることである。本発明に従う安全錠用キー及び錠シリンダーは現にすでに存在している装置の中に問題なく組み込むことできる。そのようにして補充した装置においては既存の錠シリンダーにも、本発明の錠シリンダーにも用いられる共用キーが可能である。しかしながら既存の安全錠用キーはその対応する新しい錠シリンダーを開錠することはできない。これによって全ての既存の錠装置を拡張することができ、そして高価値化することができる。シャフトの後方端部のところの追加的な制御表面は、追加的で通常は存在しない工具や特別な素材を必要とするために、複製に比較的高い煩労を条件付ける。
【０００８】
また、本発明のもう一つの利点は、装置の見積もりが簡単になることである。更に、このような装置の適応性が高められ、そして置き換えに影響を与えないようなグル−プを簡単に構成することができる。本発明によって総合化能率は本質的に高められ、そしてグループごとの仕分けは簡単になる。
【０００９】
この安全錠用キーがそのシャフトの後方端部に、回転子の前方端部のところの或る制御表面と共動する側方へ突出した少なくとも一つの部分を有するときは特に高い安全性が得られる。そのような突出部分の一つは例えば、複製が困難であるけれどもその制作に大きな追加的費用を要しないカムである。このカムは錠装置において閉止性を高めるために種々の形状及び寸法で作ることができる。
その他の有利な諸特徴は特許請求の範囲の各従属請求項、明細書の以下の記載及び添付の図面より明らかである。
本発明のいくつかの実施例を以下において添付の図面の参照のもとに更に詳細に記述する。
【図面の簡単な説明】
【００１０】
【図１ａ−１ｃ】本発明に従う安全錠用キーの立体的描写を図式的に示す。
【図２ａ−２ｃ】本発明に従う錠シリンダーのいくつかの回転子の立体的外観を図式的に示す。
【図３ａ−３ｆ】本発明に従う錠シリンダーの図式的正面図であるが、その際図３ｂないし３ｆでは固定子が省略されている。
【図４ａ−４ｄ】本発明の別の態様の安全錠用キーの図式的説明図である。
【図５ａ−５ｂ】本発明に従う錠シリンダーの別の態様のものの図式的説明図である。
【図６】マスターキーの外観を図式的に示す。
【図７ａ−７ｆ】本発明の別の態様の錠シリンダーの正面を図式的に示す。
【図８ａ−８ｆ】本発明の更に別の態様の錠シリンダーの正面を図式的に示す。
【図９ａ−９ｈ】本発明の更に別の態様の錠シリンダーの正面を図式的に示す。
【図１０】本発明の錠シリンダー半体と部分的に差し込まれたキーとの図式的側面図を示す。
【図１１】本発明の錠シリンダー半体を示すが、ここではキーは除かれている。
【発明を実施するための形態】
【００１１】
図１ａは安全錠用キーを示すが、これはシャフト６及び把持部１４を有している。そのキー１はいわゆる板キー又は回しキーである。けれどもこのキーは歯付キー又はカムキーであることもできる。シャフト６は公知の態様で制御表面７を有しており、これらは通常、そのシャフト６の広幅側ならびに狭幅側に加工形成されている。これらの制御表面７は、対応する錠シリンダー２の、ここには図示されていない公知のタンブラーの正しい位置決めに用いられるが、その際、これは図３ａによれば固定子３及び回転子２４を有している。
【００１２】
キー１のシャフト６は前方部６ａ及び後方部６ｂを有している。前方部６ａによってキー１は通常の態様で回転子２４のキー溝５の中に挿入される。シャフト６のキー溝５の中への挿入によって上述した各タンブラーが正しい位置に位置決めされる。これによって回転子２４は拘束解除され、そしてキー１の把持部１４により錠の操作のために回すことができる。
【００１３】
そのシャフト６はその後方部６ｂのところに追加的ないくつかの追加的制御表面９を有し、これらは側方へ突出している各肩部１５並びに切り抜き部１３によってこれらの肩部１５の中に形成されている。これらの追加的制御表面９は図２に示されている回転子４の対応する第１追加的制御表面８と共動する。第１追加的制御表面８は切り抜き部１０によって形成されており、これは回転子４の延びた前方端部４ａの中へ切り込み形成されている。各制御表面７は、追加的制御表面９が第１追加的制御表面８に当接したときに対応する各タンブラーが閉錠高さにあるように配置される。切り抜き部１０は、例えば切削工具を用いて形成することができる。キー溝５について、その切り抜き部１０は図２ａに見られるように側方へ位置ずれされている。対応的に、図１のキー１では各追加的制御表面９が同様に側方へ位置ずれされている。各追加的制御表面９は回し錠の場合には互いに回転対称である。シャフト６がキー溝５の中へ挿入されたときに肩部１５の１つ又は他のものがそれぞれスリット１０の中へ、１つの追加的制御表面９がその第１追加的制御表面８に当接するまで嵌め込まれる。第１追加的制御表面８はここでは安全錠キー１のための当接面を形成している。
【００１４】
図１ｂに従うキーの場合には、いくつかの追加的制御表面９’が存在しており、これらはそれぞれ、２つの側方切り抜き部１３’によって形成されているが、これらは中でも切削形成されたものである。各追加的制御表面９’はそのキー１’の面に関して中央に設けられている。対応する回転子４’は図２ｂに示されている。切り抜き部１０’は、見られるようにキー溝５に対して中央に設けられており、そして第１追加的制御表面８’を形成している。この切り抜き部１０’は側方及び前方へ開放したスリットである。
【００１５】
図１ｃに従うキー１”の場合には、各追加的制御表面９”はいくつかの切り抜き部１３”によって形成されている。対応する回転子４”は図２ｃに示されている。切り抜き部１０”も同様に側方へ位置ずれされているけれども、図２ａとは別な方向へ位置ずれされている。スリット１０”によって第１追加的制御表面８”が形成されている。各スリット１０、１０’及び１０”並びに対応する切り抜き部１３、１３’及び１３”は別な態様で形成されてもよい。中間段差も可能である。さらに、スリット１０、１０’、１０”は必ずしも貫通してまっすぐでなければならないことはない。
【００１６】
図４ａは、シャフト６の一方の肩部１５のところに側方へ突出しているカム１２が配置されているキー２０を示す。図４ｂないし４ｄに従うキー２０’、２０”、２０’’’においては上述の追加的制御表面９、９’又は９”は上述の各機能を持って存在している。カム１２はグループ形成のためのもう一つの手段を構成している。各対応する錠シリンダー２は図３ａないし３ｃに示されている。図３ａに従う錠シリンダー２は固定子３の中に支承されている回転子２４を有している。
【００１７】
この回転子２４の延びた前方端部４ａの中にスリット１７が形成されており、これは図３ａに示すようにキー溝５に対して直角方向へ延びている。このスリット１７は、これがカム１２を受け入れることができるように形成されている。図４ｃに従うキー２０”は図３ｂに従う回転子２４’のために設けられている。ここではその切り抜き部１０’はキー溝５について右方向へ位置ずれされている。そのスリット１７は図３ａに従うそれに相当し、そしてここでは同様にカム１２を収容するための第２追加的制御表面としての役目をする。
【００１８】
図４ｄに従うキー２０’’’は図３ｃに従う回転子２４”のために設けられている。図４ｄに示したキー２０’’’は回転子２４および２４’を操作するのには使えず、というのはその追加的制御表面９”が中央部にあって、側方へ位置ずれされていないからである。図４ｃに従うキー２０”はこれもまた図３ｂに従う回転子２４’だけ操作することができる。同様なことはキー２０’にも当てはまる。しかしながら、ここで記述した３つの全ての安全錠用キーは図３ｄに従う回転子２４ｖを備えたシリンダをも開錠する。
【００１９】
図５ａ及び図５ｂは、制御部のカム１２を有するけれども肩部を全く持たないキー２１を示す。しかしながら、このキー２１のシャフト６’はシャフト６の長さに相当する。このキー２１は回転子２４、２４’及び２４”の全てを操作することができ、というのはここではスリット１０、１０’及び１０”が排除的機能を全く持たないからである。従ってキー２１は図３ａないし３ｅに従う錠シリンダー２のための共通キーである。
【００２０】
図３ｄは、２０ないし２０’’’の全てのキー、共通キー２１及びマスターキー２２によって操作することのできる回転子２４ｖを示す。これは、キー溝５と同じ幅の広幅スリット１０’’’によって保証されている。第１追加的制御表面８はスリット１０’’’の基部において同じ構造である。
【００２１】
図３ｅは、キー２１によって操作することができるけれども図４ａないし４ｄに従うキーによっては操作できない回転子２４’’’を示す。そのキー溝５の全長にわたってこの回転子の延長部は中実であり、そしてそれに対応して、その肩部１５はキー回動のために必要な、所定位置に制御表面７を並ばせるのを阻止する。しかしながら、回転子２４’’’はキー２１及びキー２２によって操作することができ、というのはこれらには肩部１５がないからである。
【００２２】
図６は、シャフト６”を有するマスターキー２２を示すが、この場合には側面部に狭いカム１２’が配置されている。このキー２２では肩部１５は存在していない。このマスターキー２２は、図３ａないし３ｅの全ての回転子及び図３ｆの回転子２４Ｉｖを操作することができる。この回転子２４ＩＶはスリット１７’を有し、スリット１７と同様に第２追加的制御表面としての役目を有するが、これは切り抜き部１７よりも本質的に狭く、そして例えば１．５ｍｍの幅を有する。
【００２３】
図７ａないし７ｆ、８ａないし８ｆ、９ａないし９ｈは、回転子４又は４’の前方端部の中の種々異なった切り抜き部２７、２７’、２７”、２７’’’、２７ＩＶ、２８、２８’、２８”、２９、２９’、２９”、３０、３０’、３０”、３０’’’、及び３１、３１’、３１”、３１’’’によって形成されることのできる多数の錠構造を示す。切り抜き部は、それぞれ、第１追加的制御表面又は第２追加的制御表面としての役目を有する。対応する安全錠用キー１又は１’は対応する追加的制御表面９又はカム１２を有しているが、これらはそれらの切り抜き部のそれぞれ第１追加的制御表面又は第２追加的制御表面と共動する。図７ｃには、断面でキー１’のキーシャフトが示されている。見られるように、ここではカム１２は切り抜き部２７の中に嵌合している。回しキーの一つにおいて、図７ａ及び７ｃに示されているように、２つの切り抜き部２７が設けられている。
【００２４】
図１０及び１１は錠シリンダー半体３２を示すが、これは固定子３及び回転子を有している。見られるように、回転子４の前方端部４ａは固定子３から突出している。キー１はここでは歯付キーであり、タンブラー３３をこれに整合させることによって回転子４を回転可能にできる。
【産業上の利用可能性】
【００２５】
以上から明らかなように、本発明は、１群の錠や個別の錠を含む錠装置の構成を可能にする。既存の装置は対応する回転子とキーとによって完全に補充することができる。頂部４ａのところが延びた回転子を有し、そして上述の各制御面９又は１２を有するキーは比較的低価格で製造することができる。回転子４の延びは頂部４ａの中のスリット１７や切り抜き部１０は多様な態様に変化させることができる。同様に、各追加的制御表面９又は肩部１５及びカム１２の多くの変形態様も可能である。
【符号の説明】
【００２６】
１、２０、２１、２２  安全錠用キー
２  錠シリンダー
３  固定子
４、２４  回転子
４ａ 前方端部
４ｂ 後方端部
５  キー溝
６  シャフト
６ａ 前方部
６ｂ 後方部
７  制御表面
８ 第１追加的制御表面
９ 追加的制御表面
１２ カム
１７  スリット
１０、１３、３０、３１  切り抜き部
１５  肩部
【図１ａ−１ｃ】
0004972129.tif 000002
【図２ａ−２ｃ】
0004972129.tif 000003
【図３ａ−３ｆ】
0004972129.tif 000004
【図４ａ−４ｄ】
0004972129.tif 000005
【図５ａ−５ｂ】
0004972129.tif 000006
【図６】
0004972129.tif 000007
【図７ａ−７ｆ】
0004972129.tif 000008
【図８ａ−８ｆ】
0004972129.tif 000009
【図９ａ−９ｈ】
0004972129.tif 000010
【図１０】
0004972129.tif 000011
【図１１】
0004972129.tif 000012